(57)【要約】  インサート（Ｉ）を所与の方向でゴム異形要素（Ｐ）中に埋め込む装置であって、少なくとも１つの連続細線（Ｆ）供給手段（４）と、上昇位置と下降位置との間で直線往復運動の状態で構造体（１）上を動くことができる可動支持体（２）と、長手方向軸線ＸＸ′を有するチャネル（５３）を備えた少なくとも１本の中空ニードル（５）とを含み、細線（Ｆ）は、中空ニードル内を進むことができ、中空ニードルの端の一方（５１）が可動支持体（２）のベース（２２）に固定されると共に中空ニードルの他方の端がゴム異形要素（Ｐ）を突き通すことができる先端部（５２）を有し、装置は、可動支持体（２）上に配置された切断手段（３）を更に含み、切断手段は、中空ニードルの出口のところに尾部（Ａ）を構成する所与の長さの細線を放出するよう先端部（５２）が上昇位置にあるときに中空ニードルの往復運動の各サイクル時に中空ニードルの先端部（５２）を出た細線（Ｆ）を切断することができるブレード（３０）を含む、装置。可動支持体は、中空ニードルをその長手方向軸線ＸＸ′回りに回転させることができる手段（６）を有し、中空ニードルの先端部（５２）は、尖っていない。
2013544686.tif 000002
【特許請求の範囲】
【請求項１】
インサート（Ｉ）を所与の方向でゴム異形要素（Ｐ）中に埋め込む装置であって、
細線（Ｆ）を連続的に供給する少なくとも１つの手段（４）と、
上昇位置と下降位置との間で直線往復運動の状態で構造体（１）上を動くことができる可動支持体（２）と、
長手方向軸線ＸＸ′のチャネル（５３）を備えた少なくとも１本の中空ニードル（５）であって、前記細線（Ｆ）は、前記中空ニードル内を進むことができ、前記中空ニードルの端の一方（５１）が前記可動支持体（２）のベース（２２）に固定されると共に前記中空ニードルの他方の端が前記ゴム異形要素（Ｐ）を突き通すことができる先端部（５２）を有する少なくとも１本の中空ニードルと、
前記可動支持体（２）上に配置された切断手段（３）であって、前記中空ニードルの出口のところに尾部（Ａ）を構成する所与の長さの細線を放出するよう前記先端部（５２）が上昇位置にあるときに前記中空ニードルの前記往復運動の各サイクル時に前記中空ニードルの前記先端部（５２）を出た前記細線（Ｆ）を切断することができるブレード（３０）を含む切断手段と、を備えている装置において、
前記可動支持体が、前記中空ニードルをその長手方向軸線ＸＸ′回りに回転させることができる手段（６）を有し、前記中空ニードルの前記先端部（５２）は、前記先端部の半径方向プロフィールを長さ０．０１ｍｍのセグメントに切断したとき、所与のセグメント（Ｓk）の任意の箇所のところの接線が前記セグメント（Ｓk）の任意他の箇所及び問題の所与のセグメント（Ｓk）に隣接して位置する前記セグメント（Ｓk-1，Ｓk+1）の任意の箇所のところの接線と２０°未満の角度をなすよう尖っていない、
ことを特徴とする装置。
【請求項２】
前記先端部（５２）のエッジ（Ａ）を形成する線は、実質的に前記中空ニードル（５）の軸線（ＸＸ′）に垂直な平面内に配置されている、
請求項１記載の装置。
【請求項３】
前記中空ニードルを回転させる前記手段（６）は、５，０００回転／分〜５０，０００回転／分、通常１０，０００回転／分〜３５，０００回転／分の速度で前記中空ニードルを回転させることができる、
請求項１又は２記載の装置。
【請求項４】
前記中空ニードルの外径は、０．７ｍｍ〜３ｍｍである、
請求項１〜３のいずれか１項に記載の装置。
【請求項５】
前記切断手段（３）は、平面内において往復運動を行うナイフ（３０）である、
請求項１〜４のいずれか１項に記載の装置。
【請求項６】
前記切断手段（３）は、離脱可能である、
請求項１〜５のいずれか１項に記載の装置。
【請求項７】
前記中空ニードルは、前記可動支持体（２）上に配置された前記細線（Ｆ）を不動化すると共に前記細線（Ｆ）が供給方向とは逆の方向で前記中空ニードル（５）内を進むのを阻止することができる手段（５１）と組み合わされている、
請求項１〜６のいずれか１項に記載の装置。
【請求項８】
前記供給手段（４）は、前記供給手段と前記中空ニードルの前記チャネルの入口との間に位置する細線部分を前記可動支持体（２）の位置がどこであれ、張力がゼロの状態に維持することができる調節手段に連結されている、
請求項１〜７のいずれか１項に記載の装置。
【請求項９】
前記中空ニードル（５）の方向（ＸＸ′）を前記構造体（１）に対して傾ける手段を含む、
請求項１〜８のいずれか１項に記載の装置。
【請求項１０】
１本又は複数本の細線（Ｆ）を所与の方向でゴム異形要素（Ｐ）中に埋め込む装置であって、
上昇位置と下降位置との間で直線往復運動の状態で構造体（１）上を動くことができる可動支持体（２）と、
長手方向軸線ＸＸ′のチャネル（５３）を備えた複数本の中空ニードル（５）を含み、前記細線（Ｆ）は、前記中空ニードル内を進むことができ、前記中空ニードルは各々、その端の一方（５１）が前記可動支持体（２）のベース（２２）に固定され、その他方の端に前記ゴム異形要素（Ｐ）を突き通すことができる先端部（５２）を有しする複数本の中空ニードル（５）と、
各中空ニードルを連続的に送ることができる細線（Ｆ）を供給する少なくとも１つの手段（４）と、
前記可動支持体（２）上に配置された切断手段（３）であって、前記中空ニードルの各々の出口のところに尾部（Ａ）を構成する所与の長さの細線を放出するよう前記中空ニードルの各々の前記往復運動の各サイクル時に前記中空ニードルの各々の前記先端部（５２）を出た前記細線（Ｆ）を切断することができるブレード（３０）を含む前記切断手段とを備えている装置において、
前記可動支持体が、前記中空ニードルの各々をその長手方向軸線ＸＸ′回りに回転させることができる手段（６）を有し、前記中空ニードルの各々の前記先端部（５２）は、前記先端部の半径方向プロフィールを長さ０．０１ｍｍのセグメントに切断したとき、所与のセグメント（Ｓk）の任意の箇所のところの接線が前記セグメント（Ｓk）の任意他の箇所及び問題の所与のセグメント（Ｓk）に隣接して位置する前記セグメント（Ｓk-1，Ｓk+1）の任意の箇所のところの接線と２０°未満の角度をなすよう尖っていない、
ことを特徴とする装置。
【請求項１１】
細線部分によって形成されたインサート（Ｉ）を１本又は２本以上のニードルを含む請求項１〜１０のいずれか１項に記載の装置を用いてゴム異形要素（Ｐ）中にその表面の一方（Ｓ）を経て埋め込む方法であって、前記ニードルの各々には、次のステップ、即ち、
Ａ‐前記ニードルが前記異形要素（Ｐ）の前記表面（Ｓ）の上方の上昇位置にあるとき、所与の長さの細線を前記先端部（５２）の側で放出して尾部（Ａ）を構成するステップ、
Ｂ‐前記ニードル（５）の前記先端部（５２）を下降させて前記ニードルの前記先端部（５２）が前記異形要素（Ｐ）を前記尾部の長さよりも大きい所与の深さ（ｈ）まで突き通すようにするステップ、
Ｃ‐前記ニードル（５）を前記細線（Ｆ）が前記ニードルの内部で進むことができるようにしながら前記異形要素（Ｐ）から取り出すステップ、
Ｄ‐前記ニードル（５）の前記先端部（５２）を前記異形要素（Ｐ）の前記表面（Ｓ）の上方の所与の高さ（ｄ）だけ上昇させて前記ニードル（５２）の前記先端部と前記異形要素（Ｐ）の前記表面（Ｓ）との間に位置する細線の長さ分（ｄ）を放出するステップ、
Ｅ‐切断手段（３）を用いて前記細線を前記異形要素（Ｐ）の前記表面Ｓのところで切断して所与の長さ（ｄ）の新たな尾部（Ａ）を放出するステップが施される、方法において、
前記ニードルをその長手方向軸線回りに回転させる、方法。
【請求項１２】
前記ニードルを５，０００回転／分〜５０，０００回転／分の速度で回転させる、
請求項１１記載の方法。
【請求項１３】
ステップＥに続き、
Ｆ‐前記異形要素Ｐを前記構造体に対して所与のピッチ（ｅ）だけ動かして別のインサート（Ｉ）を埋め込むステップを更に含む、
請求項１１又は１２記載の方法。
【請求項１４】
前記切断手段を不作動状態にしてステップＥを終了させ、前記ニードルの前記先端部を前記深さ（Ｈ）に実質的に等しい高さ（ｄ）に前記ピッチ（ｅ）の長さを加えた寸法だけ前記ゴム異形要素（Ｐ）の前記表面（Ｓ）の上方に上昇させて新たな尾部（Ａ′）を形成する、
請求項１３記載の方法。
【発明の詳細な説明】
【技術分野】
【０００１】
本発明は、車両用タイヤの技術分野に関し、特に、タイヤを構成するゴムコンポーネントの１つの中に所与の方向で差し込まれた繊維を有するタイヤの製造の技術分野に関する。
【背景技術】
【０００２】
欧州特許第１２１３１３０号明細書は、この種のタイヤの特定の技術的思想を提供しており、この場合、短い補強繊維又はインサートがトレッド中に配向状態で埋め込まれ、それにより所与の方向におけるタイヤのこの部分の機械的性質が向上する。
【０００３】
欧州特許第１２１３３８３号明細書は、タイヤトレッド構造体を形成するよう組み立てられるようになったゴムコンポーネント中に上述のインサートを埋め込む手段を提案している。
【０００４】
この装置は、ゴムコンポーネントを突き通すことができると共に補強繊維を挿通状態で通す中空ニードル、往復運動を行うことができると共に上述のニードルを支持することができる可動支持体、埋め込まれるべき繊維を切断する切断ブレード及び繊維の位置を維持すると共にこれを調節する少なくとも２つのクランプ手段を有する。しかしながら、このクランプ手段は、補強繊維を圧縮下に置くという作用効果を有する。
【０００５】
国際出願ＰＣＴ／ＥＰ２０１０／０６２９０７号明細書（未公開）は、この圧縮の問題を解決する装置及び方法を記載している。
【０００６】
インサートを所与の方向でゴム異形要素中に埋め込むこの装置は、
細線を連続的に供給する少なくとも１つの手段を含み、
上昇位置と下降位置との間で直線往復運動の状態で構造体上を動くことができる可動支持体を含み、
長手方向軸線ＸＸ′のチャネルを備えた少なくとも１本の中空ニードルを含み、細線は、中空ニードル内を進むことができ、中空ニードルの端の一方が可動支持体のベースに固定されると共に中空ニードルの他方の端がゴム異形要素を突き通すことができる先端部を有し、
可動支持体上に配置された切断手段を含み、切断手段は、中空ニードルの出口のところに尾部を構成する所与の長さの細線を放出するよう先端部が上昇位置にあるときに中空ニードルの往復運動の各サイクル時に中空ニードルの先端部を出た細線を切断することができるブレードを含む。
【０００７】
さらに、この国際出願明細書の記載内容によれば、次のステップ、即ち、
Ａ‐ニードルが異形要素の表面の上方の上昇位置にあるとき、所与の長さの細線を先端部の側で放出して尾部を構成するステップ、
Ｂ‐ニードルの先端部を下降させてニードルの先端部が異形要素を尾部の長さよりも大きい所与の深さまで突き通すようにするステップ、
Ｃ‐ニードルを細線がニードルの内部で進むことができるようにしながら異形要素から取り出すステップ、
Ｄ‐ニードルの先端部を異形要素の表面の上方の所与の高さだけ上昇させてニードルの先端部と異形要素の表面との間に位置する細線の長さ分を放出するステップ、
Ｅ‐切断手段を用いて細線を異形要素の表面Ｓのところで切断して所与の長さの新たな尾部を放出するステップを含む上述の装置を作動させる方法が記載されている。
【０００８】
各サイクル時、先端部側でニードルの外部に位置した尾部を異形要素中に押し込むニードルを再び上昇させると、尾部は、ゴム状物質中に作られた孔の底部内の定位置に保持され、このゴム状物質は、尾部を把持し、ニードル中に入っている細線が上昇して戻るのを阻止し、その結果、上昇運動により、細線は、ニードル内を前進することができるようになる。
【０００９】
この運動中、ニードルの入口と尾部との間に位置する細線の部分は、引っ張り状態に保たれる。細線を欧州特許第１，２１３，３８３号明細書の要旨をなす装置において提案されているように押すのではなくニードルから引き抜く。
【００１０】
しかしながら、ニードルがゴム異形要素を突き通すようにするためには、ニードルの寸法決めに必ず影響を与える相当大きな力を生じさせると共に採用されるべき機構体がその往復運動を生じさせることが必要であるということが観察されている。これらの力の作用効果は、ニードルの突き通し箇所で異形要素の表面を変形させることにあり、しかもこのような力は更に、特に異形要素中へのニードルの突き通し角度が９０°未満である場合、ニードルを破損させる場合がある。
【先行技術文献】
【特許文献】
【００１１】
【特許文献１】欧州特許第１２１３１３０号明細書
【特許文献２】欧州特許第１２１３３８３号明細書
【特許文献３】国際出願ＰＣＴ／ＥＰ２０１０／０６２９０７号明細書（未公開）
【発明の概要】
【発明が解決しようとする課題】
【００１２】
国際出願ＰＣＴ／ＥＰ２０１０／０６２９０７号明細書に記載された装置及び方法の改良である本発明の目的は、この国際出願に記載された装置に対して新規な解決手段を提供することにある。
【課題を解決するための手段】
【００１３】
実験の際、ニードルを高い速度で回転させることにより、これら力をかなり減少させることができるという知見が得られた。
【００１４】
しかしながら、ニードルの回転の結果として、一方において、先端部のエッジと接触状態にある尾部の部分が切れ、他方において、細線の回転に打ち勝つためには、先端部のプロフィールを制御された仕方で尖っていない状態にする又はのっぺりとさせることによって、回転先端部が細線を切断することなく且つニードルが異形要素を突き通す能力に悪影響を及ぼすことなく細線上で自由に滑ることができるということが実証された。
【００１５】
この性能を達成するため、スライス効果及び回転効果を回避するよう先端部の幾何学的プロフィールを適合させることが必要である。先端部のプロフィールは、先端部の半径方向プロフィールを長さ０．０１ｍｍのセグメントに切断したとき、所与のセグメントの任意の箇所のところの接線がセグメントの任意他の箇所及び問題の所与のセグメントに隣接して位置するセグメントの任意の箇所のところの接線と２０°未満の角度をなすよう定められる。
【００１６】
以下の説明は、本発明の方法を実施することができる装置の一実施形態及び図１〜図５に基づいている。
【図面の簡単な説明】
【００１７】
【図１】本発明の装置の略図である。
【図２】ニードルの先端部の図である。
【図３】ニードルの先端部の図である。
【図４】装置の第１の使用モードに従ってインサートを埋め込むサイクルの種々の段階を示す図である。
【図５】装置の第２の使用モードに従ってインサートを埋め込むサイクルの種々の段階を示す図である。
【発明を実施するための形態】
【００１８】
図１に示されている本発明の装置は、細線Ｆを供給する手段４が取り付けられた構造体１、中空ニードル５を支持した可動支持体２及び切断手段３を有している。
【００１９】
供給手段４は、構造体１の頂部のところに配置され、この供給手段は、細線Ｆを所与の且つ調節された一定速度で送り出すことができる。
【００２０】
可動支持体２は、直線状案内レール１１を介して構造体１に連結されている。この可動支持体２には、構造体１に固定されているモータ（図示せず）により回されると共にその他方の側に配置されたリンクロッド１４及びクランクシャフト１３によって、上昇位置と下降位置との間の往復運動が与えられる。
【００２１】
上昇位置は、構造体が異形要素Ｐの表面Ｓから見て最も遠くの位置にあるサイクルの段階に対応した構造体の位置を意味しており、下降位置は、構造体が表面Ｓの最も近くの位置にあるサイクルの段階に対応した位置を意味している。
【００２２】
細線Ｆを挿通状態で走行させるチャネル５３を有する中空ニードル５の端の一方の端５１がマンドレル５０の助けにより可動支持体２のベース２２に固定されている。細線Ｆの出るニードル５２の先端部は、異形要素Ｐの表面Ｓの方へ差し向けられている。ニードルは、支持体２と同一の上下往復運動を行う。
【００２３】
切断手段３は、ブレード３０から成り、この切断手段は、構造体１の下側部分に固定されている。モータ（図示せず）に連結されたアーム３１の作用下において、切断ブレード３０は、異形要素Ｐの表面によって形成された平面に平行な方向に往復運動を行い、それにより細線をこの表面Ｓのできるだけ近くで切断する。
【００２４】
必要ならば、切断手段３は、以下に説明するように各サイクル時に細線の切断を実施する必要なく、埋め込み装置が特定のモードに従って作動することができるようにするために離脱可能であるのが良い。
【００２５】
ニードルをその長手方向軸線ＸＸ′回りに回転させることができる手段６が可動支持体２に取り付けられている。モータ６０が軸受６３に取り付けられた歯付きホイール（歯車）６１を回転させる。この歯付きホイール６１は、それ自体、中空シャフト５３によって支持された歯付きピニオン（小歯車）６２とかみ合い状態にあり、この中空シャフトは、２つの軸受６４，６５を介して可動支持体２に対しその軸線ＸＸ′回りに自由に回転するよう設けられている。中空シャフト５３は、可動支持体のベース２２のところに配置されたその端部のところでマンドレル５０を支持し、ニードル５がこのマンドレルに固定されている。モータ６１の回転は、ニードル５を回転させる。
【００２６】
モータ６１の回転速度は、ゴム状物質に対する所望の穿孔効果を得るようになっている。具体的に説明すると、ニードルの高速回転により、ニードルの外壁と直接接触状態にあるエラストマー層の加熱が生じることが観察される。ニードルとゴムとの間に働く摩擦の結果として、ニードルの壁及びエラストマー層の温度が迅速に上がり、その作用効果は、この薄いエラストマー層の粘度を大幅に減少させると共にゴム異形要素中にニードルによって形成されるチャネルの壁に対するニードルの壁の摩擦力を一定の割合で減少させることにある。この作用効果は、ゴム状物質が依然として低温になる箇所ではニードルの先端部のところでかなり生じる。
【００２７】
装置の連続作動中、ニードル５の温度の安定化は、ニードルの穿孔効率を促進させるに過ぎないことが観察される。
【００２８】
この加熱現象から得られる結果は、ニードルの穿孔効果がニードルを尖らせることによっては得られず、ニードルと接触状態にある物質の可塑化によって得られることにある。
【００２９】
この作用効果により、ニードルを回転させない先行技術の装置の作動と関連した問題を解決することができる。これらニードルを或る特定の量の熱をこれらニードルに伝達することができる加熱手段に結合した場合であっても、これらニードルの温度は、低温ゴム状物質中へのこれらニードルの突き通し具合に対応して減少することが観察される。次に、ニードルをゴム中に捕捉し、この場合も又、ニードルを上昇させるのに必要な力がニードル突き通しウェルの幾何学的形状を変形させ、そしてゴム中におけるインサートの位置をランダムにする。
【００３０】
この問題は、本発明の仕組みによって解決され、このような仕組みでは、熱供給量は、異形要素中におけるニードルの突き通し全長に沿って一定である。
【００３１】
ニードルの回転速度は、ニードルの直径が減少するにつれて高くなる。実際には、ニードルの外径は、０．７〜３ｍｍであり、インサートを生じさせるのに役立つ細線の直径に対応している。
【００３２】
第１の望ましい効果は、１．５ｍｍ外径のニードルの場合に５，０００回転／分の速度で現れる。しかしながら、この種のニードルに関し、最良の結果を実験的に与える作動速度は、１５，０００回転／分のオーダーのものである。０．７ｍｍ直径のニードルに関し、この同じ最適速度は、３５，０００回転／分まで上がる。それ故、所与の要件範囲をカバーするためには、回転手段は、理想的には、１０，０００回転／分〜３５，０００回転／分の現行の使用に関し、ニードルを５，０００回転／分〜５０，０００回転／分の速度範囲にわたって回転させることができなければならない。
【００３３】
また、本発明の実施により、ニードル５の先端部の形状を適切に改造することが必要である。具体的に説明すると、先端部のエッジ５２がニードルの回転中、細線を切断せず、これは、尾部Ａを細線の残部から分離するという作用効果を有し、しかも、上述したように異形要素からのニードルの取り出し中、細線を引っ張り状態に保つためのその機能をゼロまで減少させることが保証されるべきである。
【００３４】
この場合、ニードルの先端部５２は、インサートとして役立つよう採用された細線の大部分に合うよう定められた規則に従って図３に示されているようにのっぺりと又は尖っていない状態にされる。
【００３５】
切れ刃の発生の生成を回避することを目的とするこの規則は、実験的に得られており、図３を参照することによって容易に理解でき、図３は、図２のインサートとして示された先端部の半径方向断面の拡大図である。
【００３６】
半径方向プロフィールの許容可能な形状を定めるため、このプロフィールを内側ダクト５３の壁から始まってニードルの外壁に至るまで長さ０．０１ｍｍの互いに実質的に等しいセグメントに切断する。
【００３７】
次に、任意所与のセグメントＳkに関し、このセグメントＳkの任意の箇所のところの接線がこのセグメントＳkの任意他の箇所のところの接線と２０°未満の角度をなすようにする。
【００３８】
さらに、このセグメントＳkの任意の箇所のところの接線は、問題の所与のセグメント（Ｓk）に隣接して位置するセグメントＳk-1及びセグメントＳk+1の任意の箇所のところの接線と２０°未満の角度をなす。
【００３９】
図３の実施例では、セグメントＳk-1、Ｓk及びＳk+1は、それぞれ、箇所ｍ，ｎ，ｏ，ｐによって区切られている。セグメントＳk及びセグメントＳk-1を考慮すると、箇所ｏ及び箇所ｍのところの接線は互いに２０°未満の角度をなし、再度セグメントＳk及びセグメントＳk+1を考慮すると、箇所ｎ及び箇所ｐのところの接線は、互いに２０°未満の角度をなす。
【００４０】
このように、上述の規則によれば、プロフィールの形状は、図２及び図３に示されている一様に凹状の曲線プロフィールには限定されず、互いに２０°未満の角度をなし、オプションとして凹状であるが凸状であっても良いプロフィールを備えたセグメントと組み合わされる直線状セグメントを有するのが良い。
【００４１】
本発明の装置の作動サイクルの主要な位置が図４に詳細に示されており、これら主要な位置は、括弧に入れた番号、即ち（１）〜（６）で示されている。各サイクルは、異形要素ｐ中への１本のインサートＩの埋め込みに対応している。
【００４２】
第１の位置（１）は、ニードル５が下降位置に向かってその運動を開始するときのニードル５の上昇位置に対応している。細線Ｆの自由端部は、尾部Ａを形成するようニードル５２の先端部を越えて延びていることが観察されよう。
【００４３】
尾部Ａの長さは、ニードルが再び上昇したときに予想した効果が得られるよう短すぎてはならない。実際には、タイヤ業界で通常採用される繊維細線の場合、尾部の長さは、有益には、２ｍｍを超え、好ましくは３ｍｍ〜５ｍｍであるのが良いと考えられる。
【００４４】
第２の位置（２）は、ニードル５の下方運動に対応すると共にニードルの先端部がゴム異形要素Ｐの表面Ｓを突き通した時点に対応している。
【００４５】
観察されるように、この正確な時点では、尾部Ａは、ニードル５に沿って折り返される。この形態では、細線は、ニードルの外面とゴム異形要素に形成された孔との間で不動化され、この細線からはニードルの移動方向とは逆の方向における運動が奪われる。
【００４６】
第３の位置（３）は、ニードルの下降位置に対応しており、この位置では、ニードルの先端部は、異形要素を所与の深さｈまで突き通している。
【００４７】
次に、ニードルは、位置（４）に示されているようにその下降位置からその上昇位置まで上昇して戻されるという運動を開始する。ニードルの先端部が所与の且つ調節可能な距離ｄだけ異形要素Ｐの表面Ｓから離れたときに上昇位置に達する。
【００４８】
この上昇運動中、細線及び尾部Ａの自由部分は、異形要素のゴム状物質によって把持され、それにより、細線Ｆを引っ張ることができ、ニードルは、細線に沿って上昇し、この細線は、異形要素Ｐの表面Ｓに対して固定されたままである。
【００４９】
上昇位置に達すると、ブレード３０が表面Ｓのできるだけ近くで細線を切断し、そして位置（５）によって示されているように次のインサートＩを埋め込むのに利用できる尾部Ａを放出する。
【００５０】
尾部Ａの長さを定める長さｄは、可動支持体２が上昇位置にあるとき、可動支持体２の移動限度を調節することによって調節される。深さｈは、可動支持体２の運動の振幅を変えると共に下降位置の移動限度を調節することによって調節される。可動支持体の移動の振幅は、深さｈに長さｄを加えた寸法に対応している。
【００５１】
尾部を切断すると、細線Ｆは、ナイフ３のブレード３０からの横方向衝撃を受け、尾部を構成している細線の自由端部を先端部５回りに折り返す作用効果が生じる。
【００５２】
尾部を先端部５２回りに折り返すこの運動は、慣性の作用を受けてこの運動を不動化するのに十分であり、それにより、細線は、ニードルが符号（５）で示された上昇位置と符号（２）で示された先端部が再び異形要素Ｐの表面Ｓを突き通す位置との間で動いているときにニードル内で上昇して戻る。
【００５３】
細線の上昇戻りを回避するため、構造体１上に配置された供給手段４と中空シャフト５３の入口との間に位置する細線の部分が図１に示されているように可動支持体２の位置とは無関係に、ループＢを形成するよう供給手段４を制御することによって細線がニードルダクト２５に入っているときに細線の張力がゼロであるようにするステップも又採用される。
【００５４】
サイクル全体を通じて、ニードルの回転は、モータ６０によって行われる。ニードルが上昇位置にあり且つ細線の端部がゴム状物質によって保持されていない場合、ニードル５及び中空シャフト５３は、細線が回転していない状態で細線Ｆを方向転換させる。細線が先端部の端に対する細線の摩擦力により捕捉されるのを阻止するため、先端部５２のエッジによって形成される線Ａを実質的にニードル５の軸線ＸＸ′に垂直な平面内に配置するよう構成することが可能であって有益である。細線を遠ざけると共にニードルへの細線の偶発的な巻き付きを生じさせる恐れのあるでこぼこの全ての発生が阻止される。
【００５５】
ニードルが異形要素を突き通した時点において、尾部は、ニードルにより形成されるチャネルの表面によって回転するのが阻止される。尾部が折り畳まれるニードルの下縁部は、細線を切断しないで細線上で滑り、そして尾部は、異形要素中へ深さｈまで押し込められる。ニードルを再び上昇させると、細線は、ニードルによって形成されたウェルの底部のところで尾部によって保持され、ニードルは、細線の特性を損なわないで細線を方向転換させながら再び上昇する。
【００５６】
ニードルの上昇運動を促進するため、中空シャフト５３への細線の入口と供給手段４との間に位置する細線の部分が偶発的に引っ張られた場合でもあっても細線の上昇を阻止するよう細線を中空シャフト５３の上流側で不動化する手段５１を構造体２上に配置することが可能である。この不動化手段は、埋め込まれるべき細線の剛性が高い場合及び細線が圧縮作用を受けたときに細線が座屈に対して或る程度の抵抗を示すことができる場合にも有用であることが判明している。この方式では、細線の端部が異形要素の表面に接触したとき、細線は、ニードルに沿って上昇することができず、ニードルの運動により、尾部が先端部５２回りに折り返され、その後先端部が異形要素を突き通す。
【００５７】
異形要素を位置（６）で示すように構造体１に対してピッチｅだけ動かし、次に直前に説明したサイクルを再現することによって次のインサートＩを埋め込む。
【００５８】
これら作業を必要に応じて何回も繰り返し実施することによってインサートＩが例えば位置（７）で示されているように規則的に埋め込まれたゴム異形要素が得られる。
【００５９】
長さｈのインサートは、その底部のところに、尾部Ａに対応した長さｄの折り返し部を有する。インサートの底部のところに細線が２本分設けられていることにより、好ましくは、トレッドブロック要素のベースが補強されるという利点が得られる。
【００６０】
本発明の要旨をなすサイクルは、インサートが異形要素Ｐの表面Ｓに垂直に埋め込まれるという場合を示している。この構成は、本発明を限定するものではなく、ニードルの方向ＸＸ′を構造体に対し且つ異形要素Ｐの表面Ｓの平面に対して傾ける手段を含む装置を提供することが完全に可能である。
【００６１】
図５は、本発明の装置を具体化した特定の実施例を示しており、この実施例は、目的が埋め込み速度を増大させることにある場合有利であることが分かる場合がある。
【００６２】
この構成では、ニードルの各サイクル時の細線の切断がなしで済まされ、切断手段が不作動状態にされる。
【００６３】
埋め込みサイクルを開始するため、尾部Ａは、上述したように、ステップ（１）で示されたように放出されるべきである。
【００６４】
ニードルは、異形要素Ｐ（ステップ（２））を深さｈ（ステップ（３））まで突き通す。
【００６５】
ステップ（４）では、ニードルは、ニードルの先端部が距離ｅだけ異形要素Ｐの表面Ｓから離れた上昇位置まで上昇する。
【００６６】
異形要素を構造体１に対してピッチｅだけ動かし、すると、ニードルは、そのサイクルを再び開始する。
【００６７】
この場合、距離ｄがステップ（５）で示されているように次のインサートの埋め込み中、尾部として働くループＡ′を放出するために深さｈにピッチｅを加えた寸法よりも実質的に大きく又はこれに等しいようにすることで十分である。
【００６８】
埋め込みサイクルをステップ（６）及びステップ（７）で示されているように必要に応じて何回も再現することによってインサートを次々に埋め込む。
【００６９】
この第２の実施形態によれば、インサートは、インサートのベースのところに折り返された細線の２本のストランドを有し、２つの連続して位置するインサートは、長さｅのストランドによって互いに連結される。
【００７０】
本発明を具体化した装置の上述の説明は、単一のニードルを含む装置に関する。しかしながら、容易に理解されるように、本明細書において説明した原理を上述の往復運動を実施する共通の可動支持体上に配置されていて、各々が細線を連続的に供給する手段に連結された複数本のニードルを含む装置に利用できる。
【００７１】
この特定の構成により、可動支持体の各サイクル時に複数本のインサートを埋め込むと共に駆動手段及び切断手段を不作動状態にすることができる。歯付きホイール６１に代えて各々がマンドレル５０を介してニードル５を支持した中空シャフト５３によって支持されている歯付きピニオン６２の全てを駆動することができる歯付きベルトを用いても良い。更に、切断手段３のブレードは、各サイクル時に細線の全てを切断するようそれに応じて幅が広くされる。
【図１】
2013544686.tif 000003
【図２】
2013544686.tif 000004
【図３】
2013544686.tif 000005
【図４】
2013544686.tif 000006
【図５】
2013544686.tif 000007
【国際調査報告】
2013544686.tif 000008
2013544686.tif 000009
2013544686.tif 000010
2013544686.tif 000011
2013544686.tif 000012
2013544686.tif 000013